(57)【要約】ＨＳＤＰＡ通信が可能であるかどうかの通知に合わせて通信可能な移動機を提供する。移動機は在圏セルの基地局から送信されたＨＳＤＰＡ可否情報をアンテナ及び受信部を通して受信し、その情報を復号化部にて復号する。ＣＰＵは復号化部で復号されたＨＳＤＰＡ可否情報を解析し、その解析結果、つまりＨＳＤＰＡ通信が可能であるかどうかの通知（ＨＳＤＰＡ通信可能またはＨＳＤＰＡ通信不可）をディスプレイ制御部を介してディスプレイに特定のピクト表示を行う。
2007100012.tif 000002
【特許請求の範囲】
【請求項１】
ＨＳＤＰＡ（Ｈｉｇｈ  Ｓｐｅｅｄ  Ｄｏｗｎｌｉｎｋ  Ｐａｃｋｅｔ  Ａｃｃｅｓｓ）通信方式によって通信を行うことができる移動機と、基地局とを具備する移動体通信システムであって、
前記基地局は、前記移動機の待ち受け時及び低レート通信時のいずれかにおいて前記ＨＳＤＰＡ通信が可能かどうかの情報を前記移動機への送信情報に付与して送信する
移動体通信システム。
【請求項２】
前記基地局は、
自局で管理するセル内に在圏する移動機と通信可能な基地局が、前記ＨＳＤＰＡ通信に対応し、かつ、当該通信可能な基地局のリソースが十分である場合に、前記ＨＳＤＰＡ通信が可能なことを前記送信情報に付与する
請求の範囲１記載の移動体通信システム。
【請求項３】
前記移動機は、
前記基地局から前記送信情報を受信した時に、前記ＨＳＤＰＡ通信の可否を画面上にピクト表示する
請求の範囲１または２記載の移動体通信システム。
【請求項４】
ＨＳＤＰＡ通信方式によって、移動機と通信を行うことができる基地局であって、前記移動機の待ち受け時及び低レート通信時のいずれかにおいて、前記ＨＳＤＰＡ通信が可能かどうかの情報を、前記移動機への送信情報に付与して送信する
基地局。
【請求項５】
自局で管理するセル内に在圏する移動機と通信可能な基地局が、前記ＨＳＤＰＡ通信に対応し、かつ、当該通信可能な基地局のリソースが十分である場合に、前記ＨＳＤＰＡ通信が可能なことを前記送信情報に付与する
請求の範囲４記載の基地局。
【請求項６】
ＨＳＤＰＡ通信方式によって、基地局と通信を行うことができる移動機であって、自機の待ち受け時及び低レート通信時のいずれかにおいて、前記ＨＳＤＰＡ通信が可能かどうかの情報が自機宛ての送信情報に付与されて前記基地局から送信されてきた時に、前記ＨＳＤＰＡ通信の可否を画面上にピクト表示する
移動機。
【請求項７】
自機との通信可能な基地局が前記ＨＳＤＰＡ通信に対応し、かつ、当該基地局のリソースが十分である場合に、前記ＨＳＤＰＡ通信が可能なことを前記画面上にピクト表示する
請求の範囲６記載の移動機。
【請求項８】
基地局から、ＨＳＤＰＡ通信方式によって通信を行うことができる移動機へ、ＨＳＤＰＡ通信可能なことを通知する通知方法であって、
前記基地局が、前記移動機へ、前記移動機の待ち受け時及び低レート通信時のいずれかにおいて、前記ＨＳＤＰＡ通信が可能かどうかの情報を、前記移動機への送信情報に付与して送信するステップを有する
通知方法。
【請求項９】
前記基地局が、自局で管理するセル内に在圏する移動機と通信可能な基地局が、前記ＨＳＤＰＡ通信に対応し、かつ、当該通信可能な基地局のリソースが十分である場合に、前記ＨＳＤＰＡ通信が可能なことを、前記送信情報に付与するステップを有する
請求の範囲８記載の通知方法。
【請求項１０】
前記移動機が、前記基地局から前記送信情報を受信した時に、前記ＨＳＤＰＡ通信の可否を画面上にピクト表示するステップを有する
請求の範囲８または９記載の通知方法。
【発明の詳細な説明】
【技術分野】
【０００１】
本発明は、移動体通信システム、基地局、移動機、通知方法、プログラム、及び、記録媒体に関し、特にＨＳＤＰＡ（Ｈｉｇｈ  Ｓｐｅｅｄ  Ｄｏｗｎｌｉｎｋ  Ｐａｃｋｅｔ  Ａｃｃｅｓｓ）通信が可能なことを移動機に通知する方法に関する。
【背景技術】
【０００２】
従来、移動機が、基地局からのパケットの送信を通知するための制御情報を受信することで、移動機においてパケットの受信が可能となるＨＳＤＰＡサービスにおいては、移動機と基地局との間にはＤＰＣＨ（Ｄｅｄｉｃａｔｅｄ  Ｐｈｙｓｉｃａｌ  Ｃｈａｎｎｅｌ：個別チャネル）［ＤＬ（Ｄｏｗｎｌｉｎｋ）／ＵＬ（Ｕｐｌｉｎｋ）］が設定されている。【０００３】
基地局には基地局制御装置［例えば、ＲＮＣ（Ｒａｄｉｏ  Ｎｅｔｗｏｒｋ  Ｃｏｎｔｒｏｌｌｅｒ）］が接続されている。移動機は、基地局から指定された４ＣＨ（Ｃｈａｎｎｅｌ）のＨＳ−ＳＣＣＨ（Ｈｉｇｈ  Ｓｐｅｅｄ  Ｓｈａｒｅｄ  Ｃｏｎｔｒｏｌ  Ｃｈａｎｎｅｌ）を常に受信し、ＨＳ−ＳＣＣＨに含まれる移動機ＩＤ（Ｉｄｅｎｔｉｆｉｅｒ）の情報を検知し、自局の移動機ＩＤと一致しているかどうかを判定する。【０００４】
ＨＳ−ＳＣＣＨで自局の移動機ＩＤを検知した場合、移動機はそのＨＳ−ＳＣＣＨで送信されてくる制御情報を使って、そのＨＳ−ＳＣＣＨから所定の時間遅れで送信されるＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）を受信する。また、送るべきユーザデータや上位層の制御情報等で個別チャネルにおいて送信すべきデータ（以下、個別チャネルデータとする）が発生した場合、移動機及び基地局は直ちにＤＰＣＨ（ＵＬ／ＤＬ）を用いて送信する（例えば、”３ＧＰＰ  ＴＲ（Ｔｅｃｈｎｉｃａｌ  Ｒｅｐｏｒｔ）２５．８５８，Ｖ５．０．０，２００２年３月”に記載されている）。【０００５】
上述したＨＳＤＰＡの仕様においては、ネットワークが移動機が発信時に送信した最大通信能力（ビットレート）、通信リソースを判定し、ＨＳＤＰＡ通信が可能であればＨＳＤＰＡ通信開始を移動機に指定している。したがって、移動機のユーザは、発信時または通信レートのアップ時にネットワークから指定されるまで、ＨＳＤＰＡ通信ができるかどうかがわからない。【０００６】
上述したＨＳＤＰＡ仕様では、ＨＳＤＰＡの可否を判断する指標がなく、パケット通信接続後のスループットを確認するまで、ＨＳＤＰＡ通信ができているかどうかの判断を行うことができず、特に待受け時や低レート通信時にはＨＳＤＰＡ通信ができているかどうかの判断を行うことができない。【０００７】
なお、本願に関連する先行技術文献としては、特開２００３−１１５７９６号公報、特開２００３−１９８６６５号公報、特開２００４−１４７０４９号公報が知られる。特開２００３−１１５７９６号公報には、基地局制御器と接続された基地局が占有するセル内の複数の端末機に共通的に適用される情報を前記複数の端末機に伝送する方法が記載されている。この方法において、生成する過程は、前記共通的に適用される情報が変更される時、前記情報が変更されたことを示すインジケータを含む前記情報を生成する。伝送する過程は、前記基地局を通じて前記情報を前記端末機に伝送する。【０００８】
特開２００３−１９８６６５号公報には、バックグラウンド処理を必要とするイベントが発生した場合、その旨を通知する機能を具備した携帯電話機が記載されている。この携帯電話機は、前記イベントの発生を通知している間に、新たなバックグランド処理を必要とする新たなイベントが発生した場合、前記新たなイベントの発生を通知する通知手段を具備する。【０００９】
特開２００４−１４７０４９号公報には、移動局が、基地局からのパケットの送信を通知するための制御情報を受信することで、前記移動局において前記パケットの受信が可能となる移動通信システムが記載されている。前記基地局は、前記移動局における前記パケットの受信が可能か否かの状態の更新を示す送受信状態更新情報を前記移動局に通知する手段を有する。前記送受信状態更新情報に基づいて、前記移動局で前記パケットの送信のための制御情報を受信可能とするアクティブ状態と、前記移動局で前記パケットの送信のための制御情報を受信不可とするサスペンド状態とのいずれかに設定する。
【発明の開示】
【００１０】
本発明の課題は、ＨＳＤＰＡ通信が可能であるかどうかの通知に合わせて通信することを可能とする移動体通信システム、基地局、移動機、ユーザ通知方法、プログラム、及び、記録媒体を提供することにある。
【００１１】
本発明による移動体通信システムは、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）通信方式によって通信を行うことができる移動機と、基地局とを具備する移動体通信システムである。前記基地局は、前記移動機の待ち受け時及び低レート通信時のいずれかにおいて前記ＨＳＤＰＡ通信が可能かどうかの情報を前記移動機への送信情報に付与して送信する。
【００１２】
本発明による基地局は、ＨＳＤＰＡ通信方式によって、移動機と通信を行うことができる基地局である。前記移動機の待ち受け時及び低レート通信時のいずれかにおいて、前記ＨＳＤＰＡ通信が可能かどうかの情報を、前記移動機への送信情報に付与して送信する。
【００１３】
本発明による移動機は、ＨＳＤＰＡ通信方式によって、基地局と通信を行うことができる移動機である。自機の待ち受け時及び低レート通信時のいずれかにおいて、前記ＨＳＤＰＡ通信が可能かどうかの情報が自機宛ての送信情報に付与されて前記基地局から送信されてきた時に、前記ＨＳＤＰＡ通信の可否を画面上にピクト表示する。
【００１４】
本発明による通知方法は、基地局から、ＨＳＤＰＡ通信方式によって通信を行うことができる移動機へ、ＨＳＤＰＡ通信可能なことを通知する通知方法である。前記基地局が、前記移動機へ、前記移動機の待ち受け時及び低レート通信時のいずれかにおいて、前記ＨＳＤＰＡ通信が可能かどうかの情報を、前記移動機への送信情報に付与して送信するステップを有する。
【００１５】
本発明では、当該本発明による通知方法における各ステップを、コンピュータに実行させるためのプログラムを作ることができる。また、本発明では、当該プログラムを記録した記録媒体を作ることができる。
【００１６】
すなわち、本発明の移動体通信システムは、移動機が、基地局からのパケットの送信を通知するための制御情報を受信することで、移動機においてパケットの受信が可能となるＨＳＤＰＡ（Ｈｉｇｈ  Ｓｐｅｅｄ  Ｄｏｗｎｌｉｎｋ  Ｐａｃｋｅｔ  Ａｃｃｅｓｓ）サービスを提供可能な移動体通信システムにおいて、在圏セル、（ネットワークの指定によって）通信可能なセルがＨＳＤＰＡに対応している場合、リソースを考慮した後、ＨＳＤＰＡ通信が可能かどうかを情報に付与し、そのＨＳＤＰＡ通信可否情報をネットワーク（移動機が在圏しているセルの基地局）から移動機に送信する。上記のＨＳＤＰＡ通信可否情報を受け取ったＨＳＤＰＡ対応の移動機は、ＨＳＤＰＡ対応可否を示す手段を介して自端末のユーザにＨＳＤＰＡ通信可否情報を通知する。
【００１７】
より具体的に説明すると、本発明の移動体通信システムでは、ＨＳＤＰＡ通信可能なセル（基地局）及びＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）移動機において、ＨＳＤＰＡ通信可能時に、その情報をネットワーク（移動機が在圏しているセルの基地局）から移動機へ通知する仕組みと、情報を受信した移動機が特定のピクト表示を行う等のユーザへの通知手段とを有している。ここで、ピクト表示とは、着信音を鳴動したり、画面を切り替えることなく、各種イベントの発生をユーザに通知するための表示機能である。
【００１８】
これによって、本発明の移動体通信システムでは、待受けの状態または通信レートをアップする前（低レート通信）の状態でＨＳＤＰＡ通信が可能であるかどうかをユーザに通知しているので、ユーザがそのＨＳＤＰＡ通信が可能であるかどうかの通知に合わせて通信することが可能となる。また、本発明の移動体通信システムでは、ＨＳＤＰＡ導入時に、対応セル、未対応セルが混在すると思われるので、ＨＳＤＰＡ通信可否情報を通知することによって、ユーザが対応エリアを把握可能となる。
【００１９】
本発明によれば、ＨＳＤＰＡ通信が可能であるかどうかの通知に合わせて通信することができるという効果が得られる。
【図面の簡単な説明】
【００２０】
【図１】本発明の一実施例による移動体通信システムの構成を示すブロック図である。
【図２】図１の移動機の構成を示すブロック図である。
【図３】図２のディスプレイへの特定のピクト表示を示す図である。
【図４】本発明の一実施例による移動機が在圏する在圏セルまたは通信可能なセルの基地局の構成例を示すブロック図である。
【図５】図４に示す基地局の動作を示すフローチャートである。
【図６】図２に示す移動機の動作を示すフローチャートである。
【発明を実施するための最良の形態】
【００２１】
次に、本発明の実施例について図面を参照して説明する。図１は本発明の一実施例による移動体通信システムの構成を示すブロック図である。図１において、本実施例による移動体通信システムは、移動機１と、移動機が在圏する在圏セルＡ１と、移動機１が通信可能なセルＡ２とから構成されている。【００２２】
本実施例による移動体通信システムにおいて、移動機１が在圏する在圏セルＡ１の基地局（図示せず）は、自身もしくは通信可能なセルＡ２がＨＳＤＰＡ（Ｈｉｇｈ  Ｓｐｅｅｄ  Ｄｏｗｎｌｉｎｋ  Ｐａｃｋｅｔ  Ａｃｃｅｓｓ）に対応し、かつリソースが十分にあるかどうかを判断し、ＨＳＤＰＡ通信の可否を送信情報に付与して移動機１に送信する。【００２３】
図２は図１の移動機１の構成を示すブロック図である。図２において、移動機１はアンテナ１１と、受信部１２と、復号化部１３と、ＣＰＵ（中央処理装置）１４と、ＣＰＵ１４が実行するプログラム等を保持するメモリ１５と、ディスプレイ制御部１６と、ディスプレイ１７とから構成されている。【００２４】
移動機１は在圏セルＡ１の基地局から送信されたＨＳＤＰＡ可否情報をアンテナ１１及び受信部１２を通して受信し、その情報を復号化部１３にて復号する。ＣＰＵ１４は復号化部１３で復号されたＨＳＤＰＡ可否情報を解析し、その結果をディスプレイ制御部１６を介してディスプレイ１７に特定のピクト表示を行う。ここで、ピクト表示とは、着信音を鳴動したり、画面を切り替えることなく、各種イベントの発生をユーザに通知するための表示機能である。【００２５】
図３は図２のディスプレイ１７への特定のピクト表示を示す図である。図３において、ディスプレイ１７にはＨＳＤＰＡ通信の可否が特定のピクト表示１７ａにて表示され、それをユーザに通知する。例えば、この制御は、ＨＳＤＰＡ通信可能時のみ特定のピクト表示１７ａを行い、ＨＳＤＰＡ通信不可能時に何も表示しないことが考えられる。本実施例では、移動機１のユーザ通知手段を、上記のような特定のピクト表示１７ａとする。【００２６】
ネットワーク［移動機１が在圏する在圏セルＡ１または通信可能なセルＡ２の基地局（図示せず）］は、在圏セルＡ１または通信可能なセルＡ２がＨＳＤＰＡ対応であるか、リソースは十分であるかどうかの判定によって、ＨＳＤＰＡ通信が可能かどうかを判断する。ネットワークはそのＨＳＤＰＡ通信が可能かどうかを送信情報に付与して移動機１に送信する。ＨＳＤＰＡ通信可否についての情報を受信したＨＳＤＰＡ対応の移動機１は、特定のピクト表示１７ａを行うことによって、ＨＳＤＰＡ通信可否をユーザに通知する。【００２７】
図４は本発明の一実施例による移動機１が在圏する在圏セルＡ１または通信可能なセルＡ２の基地局の構成例を示すブロック図である。図４において、基地局２はＣＰＵ２１と、ＣＰＵ２１が実行する制御プログラム２２ａを格納するメインメモリ２２と、ＣＰＵ２１が制御プログラム２２ａを実行する際に用いる情報を保持する記憶装置２３と、図示せぬＲＮＣ（Ｒａｄｉｏ  Ｎｅｔｗｏｒｋ  Ｃｏｎｔｒｏｌ：無線ネットワーク制御装置）等の上位装置との通信を制御する通信制御部２４と、自局で管理するセル内の移動機１との無線通信を制御する無線通信制御部２５とから構成されている。【００２８】
記憶装置２３は、少なくとも基地局番号とＨＳＤＰＡに対応しているかどうかの情報とが対応付けて保持する基地局情報保持領域２３１と、少なくとも在圏中の移動機１の情報とその移動機１から通信可能な基地局の番号とを対応付けて保持する移動機情報保持領域２３２とを備えている。これらＣＰＵ２１、メインメモリ２２、記憶装置２３、通信制御部２４、無線通信制御部２５はそれぞれ内部バス２１０に接続されている。【００２９】
図５は図４に示す基地局２の動作を示すフローチャートであり、図６は図２に示す移動機１の動作を示すフローチャートである。これら図１〜図６を参照して本発明の一実施例による移動体通信システムの動作について説明する。尚、図５に示す処理はＣＰＵ２１が制御プログラム２２ａを実行することで実現され、図６に示す処理はＣＰＵ１４がメモリ１５に格納されたプログラムを実行することで実現される。また、図５に示す動作は在圏セルＡ１の基地局２の動作とする。【００３０】
移動機１が在圏する在圏セルＡ１の基地局２は、在圏している移動機１が追加された際、または一定時間毎に以下の動作を行う。はじめに、在圏セルＡ１の基地局２のＣＰＵ２１は自装置または通信可能なセルＡ２の基地局（図示せず）がＨＳＤＰＡに対応しているかどうかを記憶装置２３の基地局情報保持領域２３１及び移動機情報保持領域２３２それぞれの情報を基に判定する（図５ステップＳ１）。基地局２のＣＰＵ２１は自装置及びセルＡ２の基地局がＨＳＤＰＡに対応していない場合、ＨＳＤＰＡ通信不可であることを移動機１への送信情報に付与して送信するか、もしくは何も送信しない（図５ステップＳ４）。【００３１】
一方、基地局２のＣＰＵ２１は自装置またはセルＡ２の基地局がＨＳＤＰＡに対応している場合、基地局情報保持領域２３１及び移動機情報保持領域２３２の情報（または上位装置による基地局の管理情報）を基にＨＳＤＰＡ通信に対するリソースが十分にあるかどうかを確認する（図５ステップＳ２）。基地局２のＣＰＵ２１は自装置またはセルＡ２の基地局のリソースが十分でない場合、ＨＳＤＰＡ通信不可であることを移動機１への送信情報に付与して送信するか、もしくは何も送信しない（図５ステップＳ４）。【００３２】
基地局２のＣＰＵ２１は自装置またはセルＡ２の基地局のリソースが十分である場合、ＨＳＤＰＡ通信可能である旨を移動機１への送信情報に付与して移動機１に送信する（図５ステップＳ３）。【００３３】
次に、ＨＳＤＰＡ通信の可否情報を取得した移動機１の動作について図６を参照して説明する。移動機１のＣＰＵ１４は待受けの状態または通信レートをアップする前（低レート通信）の状態において、アンテナ１１及び受信部１２を介して基地局２からの送信情報を受信すると（図６ステップＳ１１）、自機がＨＳＤＰＡに対応しているかどうかを判定する（図６ステップＳ１２）。移動機１のＣＰＵ１４は自機がＨＳＤＰＡに対応していない場合、基地局２からの送信情報を無視する（図６ステップＳ１３）。【００３４】
移動機１のＣＰＵ１４は自機がＨＳＤＰＡに対応している場合、基地局２からの送信情報を確認し、ＨＳＤＰＡ通信が可能かどうかを判断する（図６ステップＳ１４）。移動機１のＣＰＵ１４はＨＳＤＰＡ通信が不可である場合、ＨＳＤＰＡ通信が不可能であることをディスプレイ１７の画面へのピクト表示（図３参照）を行うか、もしくは何も表示しない（図６ステップＳ１５）。【００３５】
移動機１のＣＰＵ１４はＨＳＤＰＡ通信が可能である場合、ＨＳＤＰＡ通信可能であることをディスプレイ１７の画面へのピクト表示（図３参照）を行う（図６ステップＳ１６）。【００３６】
このように、本実施例では、待受けの状態または通信レートをアップする前（低レート通信）の状態でＨＳＤＰＡ通信が可能であるかをユーザに通知しているので、ユーザがＨＳＤＰＡ通信可能の通知に合わせて通信することができる。【００３７】
また、本実施例では、ＨＳＤＰＡ導入時に、対応するセル、未対応のセルが混在すると思われるので、ＨＳＤＰＡ通信が可能であるかをユーザに通知することによって、ユーザが対応エリアを把握することができる。
【図１】
2007100012.tif 000003
【図２】
2007100012.tif 000004
【図３】
2007100012.tif 000005
【図４】
2007100012.tif 000006
【図５】
2007100012.tif 000007
【図６】
2007100012.tif 000008
【国際調査報告】
2007100012.tif 000009
2007100012.tif 000010